(57)【要約】【課題】燃料集合体のうち漏洩が発生している燃料棒を迅速に検出・特定する。【解決手段】水槽２０の水２１内にキャン３０を配置し、キャン３０内に燃料集合体１０を収納する。キャン３０内の水を、循環パイプ４０を介して循環流通させる。加熱装置５０の加熱部５３により、行ごと、及び、列ごとに、燃料棒１のプレナム部を加熱していく。このとき、サンプリングプローブ４１によりサンプリングした水について、核分裂生成物質の有無を検査する。核分裂生成物質が検出された行と列とが交差する位置にある燃料棒に漏洩が発生していると特定する。【選択図】図１
2012052818.tif 000002
【特許請求の範囲】
【請求項１】
複数の燃料棒を複数行・複数列に配置してなる燃料集合体のうち、漏洩が発生している燃料棒を検出・特定する燃料棒の漏洩検査方法において、
水を貯留した水槽内にキャンを配置し、
前記キャンの内部に前記燃料集合体を収納して、前記燃料棒が垂直方向に沿い立ち且つ燃料棒のプレナム部が上側位置に配置される状態にし、
前記キャン内の水を前記水槽内の水と入れ替えてから、前記キャン内の上部空間から水を吸引し吸引した水を冷却してから前記キャン内の下部空間に供給することによりキャン内の水を循環流通させつつ、複数の行のうちの一つの行に沿い並んだ燃料棒のプレナム部を加熱手段により加熱しているときに、前記キャンから吸引した水に核分裂生成物が含有されているか否かを検査する動作を、各行に沿い並んだ燃料棒について行ごとに行い、
前記キャン内の水を前記水槽内の水と入れ替えてから、前記キャン内の上部空間から水を吸引し吸引した水を冷却してから前記キャン内の下部空間に供給することによりキャン内の水を循環流通させつつ、複数の列のうちの一つの列に沿い並んだ燃料棒のプレナム部を加熱手段により加熱しているときに、前記キャンから吸引した水に核分裂生成物が含有されているか否かを検査する動作を、各列に沿い並んだ燃料棒について列ごとに行い、
核分裂生成物が含有されていると検査された行と、核分裂生成物が含有されていると検査された列とが交差する位置に配置された燃料棒に漏洩が発生していると特定することを特徴とする燃料棒の漏洩検査方法。
【請求項２】
請求項１において、
一つの行に沿い並んだ燃料棒のプレナム部を加熱手段により加熱する際には、その列に含まれるすべての燃料棒を一緒・同時に加熱し、一つの列に沿い並んだ燃料棒のプレナム部を加熱手段により加熱する際には、その列に含まれるすべての燃料棒を一緒・同時に加熱することを特徴とする燃料棒の漏洩検査方法。
【請求項３】
請求項１において、
一つの行に沿い並んだ燃料棒のプレナム部を加熱手段により加熱する際には、その列に含まれる複数の燃料棒を時系列的にずらして順次加熱し、一つの列に沿い並んだ燃料棒のプレナム部を加熱手段により加熱する際には、その列に含まれる複数の燃料棒を時系列的にずらして順次加熱することを特徴とする燃料棒の漏洩検査方法。
【発明の詳細な説明】
【技術分野】
【０００１】
本発明は燃料棒の漏洩検査方法に関し、燃料集合体を構成する多数本の燃料棒の中で、漏洩が発生している燃料棒を迅速に検出・特定することができるように工夫したものである。
【背景技術】
【０００２】
原子力発電プラントでは、原子炉容器内に多数個の燃料集合体を装荷している。各燃料集合体は、例えば１７行１７列に配置した２８９本の燃料棒を１組として構成されている。
このような原子力発電プラントにおける燃料棒の燃料被覆管にピンホールなどの微細な貫通孔が発生すると、一次冷却水中に核分裂生成物が漏洩してしまう。このような漏洩事象が発生した場合には、漏洩が発生した燃料棒の検出・特定が行われる。
【０００３】
ここで、漏洩事象発生時における従来の検査プロセスの一例を説明する。
（１）原子炉の運転中において一次冷却水中の放射能レベルを常時検査しておき、検査した放射能レベルが規定値以上になったら、漏洩事象が発生したと判断する。
（２）漏洩事象が発生したと判断したら、原子炉の運転を停止する。
（３）原子炉の運転を停止後、原子炉容器の上部蓋を開放し、原子炉容器内に装荷されている燃料集合体を１個づつ使用済燃料ピットに取り出し、取り出した燃料集合体について「シッピング検査」をして、当該燃料集合体に漏洩が発生しているか否かを検査する。即ち、燃料集合体を単位として、漏洩が発生しているか否かを検査する。
「シッピング検査」は、周知技術であるが、その詳細については後述する。
（４）シッピング検査により、漏洩が発生している燃料集合体を特定できたら、当該燃料集合体のうち、どの燃料棒で漏洩が発生しているかを、「超音波検査法」により検査して、漏洩が発生している燃料棒を特定する。
「超音波検査法」による検査は、周知技術であるが、その詳細については後述する。
【０００４】
上記の「シッピング検査」について説明をする。
シッピング検査をするには、原子炉容器内から取り出した燃料集合体を、使用済燃料ピット（水槽）に貯留されている水の中に浸漬すると共に、当該燃料集合体をシッピングキャン（容器）で覆う。そうすると、燃料集合体は燃料ペレットの崩壊熱により自然発熱し、しかも、燃料集合体をシッピングキャンにより覆う（囲む）ことにより燃料集合体の周囲での水の対流が阻止されるとともに断熱効果が発揮されることとも相俟って、燃料集合体の温度が上昇する。
燃料集合体の温度が上昇すると燃料棒の内部圧力が上昇し、燃料棒の燃料被覆管にピンホール等があると、燃料棒の内部から核分裂生成物（例えば137Ｃｓなど）が水中に漏洩してくる。
シッピングキャン内の水をサンプリングし、サンプリングした水の放射能レベルを、放射能検出器（シンチレーションセンサや半導体放射線センサを用いた放射能検出器）により検査する。検査して得た放射能レベルが所定レベルを越えていた場合には、当該燃料集合体において漏洩が発生していると判断する。
【０００５】
上記の「超音波検査法」による検査を、検査概念図である図７を参照して説明する。
超音波検査法による検査では、シッピング検査により漏洩が発生していると特定された燃料集合体について、当該燃料集合体を構成する燃料棒を１本ごとに検査する。
具体的には、図７に示すように、燃料棒１の下部において、検査する１本の燃料棒１を間に挟んで、超音波発信器０１と超音波受信器０２を対向配置しつつ走査移動していく。超音波受信器０２からは、受信した超音波の大きさに対応する信号レベルとなっている、検出信号ｓが出力される。
【０００６】
検査した燃料棒１に漏洩が発生していない場合にはその燃料棒１の燃料被覆管1ａの内部には水が存在せず、燃料被覆管1ａにピンホールなどがあるとピンホールを介して燃料被覆管1ａの内部に浸入した水は流下して燃料被覆管1ａの下部にたまる。
検出信号ｓの信号レベルは、燃料被覆管1ａの内部に水が存在する場合と水が存在していない場合とで、異なるものとなるため、検出信号ｓの信号レベルを検査することにより、水の有無つまりピンホール等の有無（漏洩の有無）を検査することができる。
このような検査を、漏洩が発生していると特定された燃料集合体を構成する燃料棒について、１本づつ順次実行することにより、漏洩が発生している燃料棒を特定することができる。
【先行技術文献】
【特許文献】
【０００７】
【特許文献１】特開昭５８−７５０９５号公報
【発明の概要】
【発明が解決しようとする課題】
【０００８】
ところで上記従来技術では、漏洩が発生している燃料棒を特定するのに多大の時間がかかる場合がある。これは、最初にシッピング検査を行って、多数の燃料集合体の中で漏洩が発生している燃料集合体を特定し、その後、漏洩が発生している当該燃料集合体について、燃料棒を１本づつ超音波検査法により検査しているからである。
【０００９】
更に上記従来技術で用いていた超音波検査法では、燃料被覆管にピンホールなどがあっても、燃料棒に漏洩が発生していることを検出できない場合がある。
これは、燃料棒下部にたまる水の量が少ない場合に、超音波信号レベルに有意な差が生じないことがあるためである。
【００１０】
本発明は上記従来技術に鑑み、燃料集合体の中で漏洩が発生している燃料棒を迅速かつ正確に特定して検出することができる燃料棒の漏洩検査方法を提供することを目的とする。
【課題を解決するための手段】
【００１１】
上記課題を解決する本発明の構成は、複数の燃料棒を複数行・複数列に配置してなる燃料集合体のうち、漏洩が発生している燃料棒を検出・特定する燃料棒の漏洩検査方法において、
水を貯留した水槽内にキャンを配置し、
前記キャンの内部に前記燃料集合体を収納して、前記燃料棒が垂直方向に沿い立ち且つ燃料棒のプレナム部が上側位置に配置される状態にし、
前記キャン内の水を前記水槽内の水と入れ替えてから、前記キャン内の上部空間から水を吸引し吸引した水を冷却してから前記キャン内の下部空間に供給することによりキャン内の水を循環流通させつつ、複数の行のうちの一つの行に沿い並んだ燃料棒のプレナム部を加熱手段により加熱しているときに、前記キャンから吸引した水に核分裂生成物が含有されているか否かを検査する動作を、各行に沿い並んだ燃料棒について行ごとに行い、
前記キャン内の水を前記水槽内の水と入れ替えてから、前記キャン内の上部空間から水を吸引し吸引した水を冷却してから前記キャン内の下部空間に供給することによりキャン内の水を循環流通させつつ、複数の列のうちの一つの列に沿い並んだ燃料棒のプレナム部を加熱手段により加熱しているときに、前記キャンから吸引した水に核分裂生成物が含有されているか否かを検査する動作を、各列に沿い並んだ燃料棒について列ごとに行い、
核分裂生成物が含有されていると検査された行と、核分裂生成物が含有されていると検査された列とが交差する位置に配置された燃料棒に漏洩が発生していると特定することを特徴とする。
【００１２】
また本発明の構成は、一つの行に沿い並んだ燃料棒のプレナム部を加熱手段により加熱する際には、その列に含まれるすべての燃料棒を一緒・同時に加熱し、一つの列に沿い並んだ燃料棒のプレナム部を加熱手段により加熱する際には、その列に含まれるすべての燃料棒を一緒・同時に加熱することを特徴とする。
【００１３】
また本発明の構成は、一つの行に沿い並んだ燃料棒のプレナム部を加熱手段により加熱する際には、その列に含まれる複数の燃料棒を時系列的にずらして順次加熱し、一つの列に沿い並んだ燃料棒のプレナム部を加熱手段により加熱する際には、その列に含まれる複数の燃料棒を時系列的にずらして順次加熱することを特徴とする。
【発明の効果】
【００１４】
本発明によれば、燃料集合体を構成する多数本の燃料棒の中で、漏洩が発生している燃料棒を迅速に検出・特定することができる。
【図面の簡単な説明】
【００１５】
【図１】燃料棒の漏洩検査方法を実施する検査システムを示す構成図。
【図２】燃料集合体及び加熱装置を示す斜視図。
【図３】燃料集合体の燃料の配列状態を示す平面図。
【図４】燃料棒の加熱状態を示す構成図。
【図５】燃料棒の加熱状態を示す構成図。
【図６】燃料棒の加熱状態を示す構成図。
【図７】従来の超音波検査法を示す説明図。
【発明を実施するための形態】
【００１６】
以下、本発明の実施の形態について、実施例に基づき詳細に説明する。
【実施例１】
【００１７】
図１は燃料棒の漏洩検査方法を実施する検査システムを示し、図２は検査対象物である燃料集合体と、検査システムに組み込まれた加熱装置を示す。
【００１８】
漏洩検査方法を説明するに先立ち、検査対象物である燃料集合体１０について説明する。
図２に示すように、燃料集合体１０は、例えば１７行１７列に配置した２８９本の燃料棒1を１組として構成されている。各燃料棒１は、垂直方向に伸びる状態で配置されており、相互間に隙間ができ且つ平行になるように、図示しない支持格子に組み付けられている。
燃料集合体１０を水平面的に見たとき、換言すると上面からみたときには、図３に示すように、A,B,C,D・・・O,P,Qの１７行と、a,b,c,d・・・o,p,qの１７列とが交差する格子状の２８９個の配置位置に、燃料棒１が配置されている。
【００１９】
図１に戻り、燃料棒の漏洩検査システムを説明する。
使用済燃料ピット（水槽）２０内には水２１が貯留されている。
有底で上面が開口した筒状のキャン３０と、このキャン３０の上面を塞ぐキャン蓋３１は、使用済燃料ピット２０の水２１内に配置されている。キャン３０とキャン蓋３１との間には、シール機構３２が介装される。
【００２０】
循環パイプ４０は、その一端４０ａがキャン蓋３１を介して、キャン３０内の上部空間に連通しており、その他端４０ｂがキャン３０内の下部空間に連通している。循環パイプ４０には、混合器４１と冷却熱交換器４２とポンプ４３が、一端４０ａ側から他端４０ｂ側に向かって順に配置されている。
循環パイプ４０のうち、混合器４１と冷却熱交換器４２の間には、サンプリングプローブ４４が接続されている。
【００２１】
加熱装置５０は、端子盤５１と、この端子盤５１から突出すると共に鉛直面内で広がる１８枚のプレート５２と、各プレート５２の先端部に備えた加熱部５３とを有している。
各プレート５２は、相互間隔を開けつつ平行に配置されており、プレート５２のピッチ間隔は、燃料集合体１０の燃料棒１のピッチ間隔と等しくなっている。
端子盤５１から、図示しない配線を介して加熱部５３に通電することにより、加熱部５３が発熱する。なお、加熱部５３としては、抵抗発熱型の電気ヒーター、高周波加熱ヒーター、レーザー加熱ヒーターなど、各種の加熱部材を使用することができる。
【００２２】
加熱装置５０は、そのプレート５２がキャン３０の上部に挿通された状態で、水平方向（図２ではα方向）に沿い、図示しない移動機構により移動することができる。このとき、プレート５２とキャン３０との間にはシール機構５４が配置されて、シールがされるようになっている。
また加熱装置５０は、水平面内で見て図１の配置位置から９０°旋回した位置に配置されて、図２のβ方向に沿い、図示しない移動機構により移動することもできる。
【００２３】
原子炉内から取り出した燃料集合体１０の漏洩検査をするには、キャン３０からキャン蓋３１を外しキャン３０の上面を開放した状態にする。そして、燃料集合体１０をキャン３０の内部に収納して、水２１に浸漬する。このとき、燃料集合体１０の燃料棒１が垂直方向に沿い立ち、しかも燃料棒１のプレナム部（燃料棒の上部位置であって、燃料被覆管の内部に燃料ペレットが挿入されていない部分）が上側位置に配置されるように、燃料集合体１０を立設しておく。
この状態でキャン蓋３１によりキャン３０の上面を塞ぐ。
【００２４】
加熱装置５０の移動位置を調整して、図４に示すように、Ａ行に沿い並んだ１７本の燃料棒１のプレナム部を、各プレート５２の加熱部５３で挟む（なお、燃料棒１と加熱部５３との間には隙間をとっている）。この状態で加熱部５３に通電して加熱部５３を発熱させて、Ａ行に沿い並んだ１７本の燃料棒１のプレナム部を外部から積極的に加熱する。
【００２５】
Ａ行に沿い並んだ１７本の燃料棒１のプレナム部に対して加熱部５３により外部加熱を開始したら、ポンプ４３を起動する。
ポンプ４３が起動すると、キャン３０内の上部空間の水は、一端４０ａ側から循環パイプ４０に吸引されて循環パイプ４０内を流通し、他端４０Ｂ側からキャン３０内の下部空間に供給される。即ち、キャン３０と循環パイプ４０により、循環閉流路が形成され、キャン３０内の水が循環流通する。
【００２６】
キャン３０内の水は、一端４０ａ側から循環パイプ４０内に吸引されて流通すると、まず混合器４１により混合・撹拌され、次に冷却熱交換器４２により冷却され、さらにポンプ４２により圧送されて、他端４０ｂ側からキャン３０内の下部空間に供給されて、キャン３０に戻ってくる。
【００２７】
また、混合器４１により混合・撹拌された水の一部は、サンプリングプローブ４４を介してサンプリングされる。サンプリングされた水は、放射能検出器により検査され、核分裂生成物（たとえば137Ｃｓ）の有無が検査される。
【００２８】
Ａ行に沿い並んだ１７本の燃料棒１は、そのプレナム部が積極的に外部から加熱されるため、燃料棒の内部圧力が上昇する。このとき、Ａ行に沿い並んだ１７本の燃料棒１のうちのいずれかの燃料被覆管にピンホール等があると、ピンホール等がある燃料棒１から水中に核分裂生成物（たとえば137Ｃｓ）が漏洩してくる。
このようにして核分裂生成物（たとえば137Ｃｓ）が漏洩してくると、サンプリングされた水に核分裂生成物（たとえば137Ｃｓ）が含有されていることが検出される。
【００２９】
なお、Ａ行以外の他の行（Ｂ行からＱ行）に沿い並んだ燃料棒１は、加熱部５３により加熱されておらず、しかも、加熱部５３により加熱されて温度上昇して循環パイプ４０内に流入していった水は、冷却熱交換器４２により冷却され、冷却された水がキャン３０内の下部空間に供給される。
このため、Ａ行以外の他の行（Ｂ行からＱ行）に沿い並んだ燃料棒１は、積極加熱されることはない。
この結果、Ａ行以外の他の行（Ｂ行からＱ行）に沿い並んだ燃料棒１の燃料被覆管にピンホール等があっても、Ａ行以外の他の行（Ｂ行からＱ行）に沿い並んだ燃料棒１から水中に核分裂生成物が漏洩してくることはない。
【００３０】
上述したようにして、Ａ行に沿い並んだ１７本の燃料棒１を外部から積極加熱しているときに、サンプリングした水に核分裂生成物（たとえば137Ｃｓ）が含有されているか否かの検査が終了したら、Ｂ行に沿い並んだ１７本の燃料棒１について漏洩があるかどうかを検査する次ステップに進む。
【００３１】
次ステップに進むには、まず、加熱部５３による加熱を停止すると共にポンプ４３を停止する。次に、循環パイプ４０の接続状態を変えることにより、使用済燃料ピット２０内の水をポンプ４３によりキャン３０内の下部空間に供給し、キャン３０内の上部空間から循環パイプ４０に流入してきた水を循環パイプ４０の途中（ポンプ４０の手前）まで流してから、使用済ピット２０内に排出する。
このようにして、キャン３０及び循環パイプ４０の内部に入っていた水を、使用済燃料ピット２０内の水と入れ替える。
【００３２】
キャン３０及び循環パイプ４０の内部の水の入れ替えが完了したら、循環パイプ４０の接続状態を図１に示す状態に戻す。
【００３３】
次に、加熱装置５０の移動位置を調整して、Ｂ行に沿い並んだ１７本の燃料棒１のプレナム部を、各プレート５２の加熱部５３で挟む。この状態で加熱部５３に通電して加熱部５３を発熱させて、Ｂ行に沿い並んだ１７本の燃料棒１のプレナム部を外部から積極的に加熱する。
Ｂ行に沿い並んだ１７本の燃料棒１のプレナム部に対して加熱部５３により外部加熱を開始したら、ポンプ４３を起動してキャン３０内の水を循環パイプ４０を介して循環流通させる。
【００３４】
上述したようにして、Ｂ行に沿い並んだ１７本の燃料棒１を外部から積極加熱すると共にキャン３０内の水を循環パイプ４０を介して循環流通させているときに、サンプリングした水に核分裂生成物（たとえば137Ｃｓ）が含有されているか否かの検査をする。
【００３５】
以降は同様にして、Ｃ行からＱ行について各行ごとに、当該行に沿い並んだ１７本の燃料棒１を外部から積極加熱しているときにサンプリングした水に、核分裂生成物（たとえば137Ｃｓ）が含有されているか否かの検査をする。
なお、ある行の検査が終了してから、次の行の検査に進む際には、キャン３０及び循環パイプ４０内の水の入れ替えを行う。
【００３６】
Ａ行からＱ行について１行ごとに、当該行に沿い並んだ１７本の燃料棒１を外部から積極加熱しているときにサンプリングした水に核分裂生成物（たとえば137Ｃｓ）が含有されているか否かの検査をしたら、次は、ａ列からｑ列について１列ごとに、当該列に沿い並んだ１７本の燃料棒１を外部から積極加熱しているときにサンプリングした水に核分裂生成物（たとえば137Ｃｓ）が含有されているか否かの検査をする。
【００３７】
各列について検査をするには、キャン３０に対する加熱装置５０の配置位置を、水平面内で見て、図１の配置位置から９０°旋回した位置とする。図１でいえば、加熱装置５０が紙面に対して直行する方向に移動できるように、加熱装置５０の配置位置を変更する。
または、キャン３０に対する加熱装置５０の配置位置は図１の配置位置と同じとし、燃料集合体１０を一旦、キャン３０の外に取り出し、燃料集合体１０を水平面内で９０°旋回してからキャン３０内に収納する。
【００３８】
このようにして、加熱装置５０は、そのプレート５２がキャン３０の上部に挿通された状態で、水平方向（図２ではβ方向）に沿い、図示しない移動機構により移動することができる。このとき、プレート５２とキャン３０との間にはシール機構５４が配置されて、シールがされるようになっている。
【００３９】
加熱装置５０の移動位置を調整して、ａ列に沿い並んだ１７本の燃料棒１のプレナム部を、各プレート５２の加熱部５３で挟む。この状態で加熱部５３に通電して加熱部５３を発熱させて、ａ列に沿い並んだ１７本の燃料棒１のプレナム部を外部から積極的に加熱する。
【００４０】
ａ列に沿い並んだ１７本の燃料棒１のプレナム部に対して加熱部５３により外部加熱を開始したら、ポンプ４３を起動する。
ポンプ４３が起動すると、キャン３０内の上部空間の水は、一端４０ａ側から循環パイプ４０に吸引されて循環パイプ４０内を流通し、他端４０Ｂ側からキャン３０内の下部空間に供給される。即ち、キャン３０と循環パイプ４０により、循環閉流路が形成され、キャン３０内の水が循環流通する。
【００４１】
キャン３０内の水は、一端４０ａ側から循環パイプ４０内に吸引されて流通すると、まず混合器４１により混合・撹拌され、次に冷却熱交換器４２により冷却され、さらにポンプ４２により圧送されて、他端４０ｂ側からキャン３０内の下部空間に供給されて、キャン３０に戻ってくる。
【００４２】
上述したようにして、ａ列に沿い並んだ１７本の燃料棒１を外部から積極加熱しているときに、サンプリングした水に核分裂生成物（たとえば137Ｃｓ）が含有されているか否かの検査を、行ごとに検査していたのと同様にして実施する。
【００４３】
ａ列の検査が終了したら、以降は同様にして、ｃ列からｑ列について各列ごとに、当該列に沿い並んだ１７本の燃料棒１を外部から積極加熱しているときにサンプリングした水に核分裂生成物（たとえば137Ｃｓ）が含有されているか否かの検査をする。
なお、ある列の検査が終了してから、次の列の検査に進む際には、キャン３０及び循環パイプ４０内の水の入れ替えを行う。
【００４４】
各行の検査と、各列の検査が完了したら、燃料集合体１０のうち、漏洩が発生している燃料棒を次のようにして特定する。
例えば、Ｂ行の検査において核分裂生成物の含有が検査され、且つ、ｅ列の検査において核分裂生成物の含有が検査された場合には、Ｂ行とｅ列とが交差する位置に配置された燃料棒１に漏洩が発生していると特定することができる。
【００４５】
本実施例では、行または列を単位として、即ち、燃料棒１を１７本を単位として加熱するごとに、核分裂生成物の有無を検査し、行ごと及び列ごとの検査結果を組み合わせて漏洩している燃料棒１の特定ができるため、迅速かつ正確に、漏洩している燃料棒を特定することができる。
また、燃料棒１をその外部から積極的に加熱しているため、自然発熱を利用している場合に比べて、短時間で核分裂生成物の有無の検査ができる。
【００４６】
実施例１では、燃料棒を１７行１７列に配置した燃料集合体を検査対象物としているが、燃料棒の行数・列数が他のものであっても、本発明方法を適用することができる。
【実施例２】
【００４７】
上述した実施例１では、行または列を単位として、即ち、１７本の燃料棒１を単位として一緒・同時に加熱しているが、行または列に含まれる１７本を時系列的にずらして順次加熱していくこともできる。
例えば、図５に示すように、特定の行（または列）に含まれる燃料棒１を３本単位で順次加熱していくこともでき、更には図６に示すように、特定の行（または列）に含まれる燃料棒１を１単位で順次加熱していくこともできる。
【実施例３】
【００４８】
上述した実施例１では、行または列を単位として当該行または当該列に含まれる複数の燃料棒を一緒・同時に加熱しており、実施例２では、行または列を単位として当該行または当該列に含まれる複数の燃料棒を時系列的にずらして順次加熱している。
これに限らず、行または列を単位とすることなく、隣接する複数の燃料棒を単位として、その燃料棒のプレナム部を外部から加熱して、核分裂生成物の検査をし、漏洩している燃料棒の検出をすることも可能である。
【符号の説明】
【００４９】
１  燃料棒
１０  燃料集合体
２０  使用済燃料ピット（水槽）
２１  水
３０  キャン
３１  キャン蓋
３２  シール機構
４０  循環パイプ
４１  混合器
４２  冷却熱交換器
４３  ポンプ
４４  サンプリングプローブ
５０  加熱装置
５１  端子盤
５２  プレート
５３  加熱部
５４  シール機構
【図１】
2012052818.tif 000003
【図２】
2012052818.tif 000004
【図３】
2012052818.tif 000005
【図４】
2012052818.tif 000006
【図５】
2012052818.tif 000007
【図６】
2012052818.tif 000008
【図７】
2012052818.tif 000009